(57)【要約】【課題】簡素な構造でありながら、偏重心の光ディスクを回転させる際の振動を抑制する光ディスク装置を提供する。【解決手段】スピンドルモータ１の近傍のシャーシ１０には音圧センサ３が設置されており、スピンドルモータ１付近で発生する音を集音する。音圧センサ３は、集音した音を電気信号に変換して制御部３０に出力する。制御部３０は、入力された電気信号に基づいて音量を観測して、予め設定した閾値以上であれば、モータドライバＩＣ１１を介してスピンドルモータ１の回転数を低下させる。これにより、振動が抑制されるとともに、スピンドルモータ１付近から発生する音量が抑制される。【選択図】  図１
2004342146.tif 000002
【特許請求の範囲】
【請求項１】
光ディスクの再生、記録を行う光ディスク装置において、
前記光ディスクを回転させるスピンドルモータ付近の音を集音して電気信号に変換する音圧センサと、
（１）該音圧センサからの電気信号に基づき、前記音量を観測し、該音量が予め設定された閾値以上の場合に、前記スピンドルモータの回転数を低下させ、前記音量が前記閾値よりも小さくなる制御を行うとともに、装着中の光ディスクが現状の回転数での再生または記録には最適でないことを示す表示画面を出力し、
（２）光ディスク記録時の初期ディスク読み取り動作の際に、前記音量を観測し、該音量が前記閾値以上の場合に、前記光ディスクが初期の回転数での記録には最適でないことを示す表示画面、および、光ディスクを交換するか装着中の光ディスクで記録を行うかの選択を促す表示画面を出力し、装着中の光ディスクで記録を行う入力がされれば、前記音量が前記閾値よりも小さくなるようにスピンドルモータの回転数を制御して記録を行う、
制御手段とを備えたことを特徴とする光ディスク再生装置。
【請求項２】
光ディスクの再生、記録を行う光ディスク装置において、
前記光ディスクを回転させるスピンドルモータ付近の音を集音して電気信号に変換する音圧センサと、
該音圧センサからの電気信号に基づき、前記音量を観測し、該音量が予め設定された閾値以上の場合に、前記スピンドルモータの回転数を低下させ、前記音量が前記閾値よりも小さくなる制御を行うとともに、
装着中の光ディスクが現状の回転数での再生または記録には最適でないことを示す表示画面を出力する制御手段とを備えたことを特徴とする光ディスク装置。
【請求項３】
前記制御手段は、光ディスク記録時の初期ディスク読み取り動作の際に、前記音量を観測し、該音量が前記閾値以上の場合に、前記光ディスクが初期の回転数での記録には最適でないことを示す表示画面を出力する請求項２に記載の光ディスク装置。
【請求項４】
前記制御手段は、前記音量が前記閾値以上の場合に、光ディスクを交換するか、装着中の光ディスクで記録を行うかの選択を促す表示画面を出力する請求項３に記載の光ディスク装置。
【請求項５】
前記制御手段は、装着中の光ディスクで記録を行う入力がされれば、前記音量が前記閾値よりも小さくなるようにスピンドルモータの回転数を制御して記録を行う請求項４に記載の光ディスク装置。
【発明の詳細な説明】
【０００１】
【発明の属する技術分野】
この発明は、光ディスクの記録、再生を行う光ディスク装置に関するものである。
【０００２】
【従来の技術】
パソコン等の情報処理装置には、光ディスクに記録されたデータの再生のみを行う光ディスク再生装置や、光ディスクに記録されたデータの再生を行う機能と、光ディスクへのデータの記録を行う機能とを備える光ディスク記録再生装置が搭載されている（以下、光ディスク再生装置と光ディスク再生記録装置とを、単に「光ディスク装置」という。）。
【０００３】
このような光ディスク装置の再生時には、スピンドルモータで光ディスクを回転させながら、該光ディスク表面にレーザ光を照射し、その反射光を受光することにより、光ディスクに記録されているデータを読み出す。また、記録時には、スピンドルモータで光ディスクを回転させながら、該光ディスク表面に再生時よりも高出力のレーザ光を照射することで、データを書き込む。
【０００４】
上述の光ディスク装置では、スピンドルモータにおける光ディスクの保持位置がズレたり、装着された光ディスクが偏重心である等、光ディスクの重心と、この光ディスクの回転の中心とが一致しないことがある。このような場合、回転させた光ディスクにおいて面振れが生じて振動が発生する。このように振動が発生すると、光ディスクに記録されているデータの読み取りや書き込みが正確にできない。また、共振音が発生して、ユーザに不快感を与える。このため、偏重心の光ディスクを再生、記録する場合であっても、回転による振動を抑制する光ディスク装置が各種考案されている（例えば、特許文献１参照。）。
【０００５】
【特許文献１】
特開平１０−１９９１２７号公報
【０００６】
【発明が解決しようとする課題】
ところが、特許文献１に示す光ディスク装置では、スピンドルモータの振動を振動センサで検出し、光ディスクを介してターンテーブルに対向するクランパの重心位置を制御することで、偏重心の光ディスクを回転する際の振動を抑制している。しかし、重心の制御を行う構成部品が多くなるため、光ディスク装置の構成が複雑になる。
【０００７】
この発明の目的は、簡素な構造でありながら、重心がずれた状態で光ディスクを回転させる際の振動を抑制する光ディスク装置を提供することにある。
【０００８】
【課題を解決するための手段】
この発明の光ディスク装置は、スピンドルモータ付近の音を集音して電気信号に変換する音圧センサと、該音圧センサからの電気信号に基づき、音量を観測し、該音量が予め設定された閾値以上の場合に、光ディスクを回転させるスピンドルモータの回転数を低下させ、音量が閾値以下になる制御を行う。さらに、音量が閾値以上の場合に、現状の設定回転数で光ディスクを再生または記録することが最適でないことを示す表示画面を出力する。
【０００９】
この構成では、光ディスクの装着位置がズレていたり、偏重心の光ディスクであっても、回転時に音圧センサで集音した音量に基づいてスピンドルモータの回転数を低下させることで、振動を抑制することができる。さらに、振動による音量が予め設定した閾値以上なると、現状の設定回転数で再生または記録することに装着中の光ディスクが最適でないことを表示するので、光ディスクの装着位置がズレていたり、現在装着している光ディスクが偏重心であることをユーザに認識させることができる。
【００１０】
また、この発明の光ディスク装置は、光ディスク記録時の初期ディスク読み取り動作の際に、音量を観測し、該音量が閾値以上の場合に、光ディスクが初期設定の回転数での記録には最適でないことを示す表示画面を出力することを特徴としている。
【００１１】
この構成では、光ディスクの装着位置がズレていたり、装着した光ディスクが偏重心である場合に、この光ディスクが初期設定の回転数での記録には向いていない、すなわち、振動が大きいために正確にデータの書き込みを行うことができないことをユーザに認識させることができる。
【００１２】
また、この発明の光ディスク装置は、音量が閾値以上の場合に、光ディスクを交換するか、装着中の光ディスクで記録を行うかの選択を促す表示画面を出力することを特徴としている。
【００１３】
この構成では、光ディスクの装着位置がズレていたり、装着した光ディスクが偏重心であった場合に、光ディスクを交換するか、そのまま記録を行うを、ユーザに選択させることができる。
【００１４】
また、この発明の光ディスク装置は、装着中の光ディスクで記録を行う選択入力がされれば、音量が閾値よりも小さくなる回転数で記録を行うことを特徴としている。
【００１５】
この構成では、偏重心の光ディスクであっても、そのまま記録する操作がユーザにより入力されると、振動による音量を観測しながら、この音量が予め設定した閾値よりも小さくなる回転数にスピンドルモータを制御して、光ディスクにデータの書き込みを行う。
【００１６】
【発明の実施の形態】
本発明の実施形態に係る光ディスク装置について、図を参照して説明する。
【００１７】
図１は、本実施形態に係る光ディスク装置の主要部を示す概略構成図である。
【００１８】
図１に示すように、本発明に係る光ディスク装置は、光ディスク１００を保持して回転させるスピンドルモータ１と、光ディスク１００の記録面にレーザ光を照射し、その反射光を受光することで、光ディスク１００に記録されているデータを読み出す光ピックアップ２と、該光ピックアップ２を光ディスク１００の径方向に移動させるためのガイド４と、ガイド４を固定するシャーシ１０と、スピンドルモータ１の動作を制御するモータドライバＩＣ１１と、光ピックアップ２に備えられたレーザ光出力部を制御するレーザドライバＩＣ１２と、これらを含む装置全体を制御する制御部３０とから構成される。
【００１９】
また、シャーシ１０における、スピンドルモータ１の近傍には、音圧センサ３が設置されている。この音圧センサ３は、例えば、マイクロフォンであり、スピンドルモータ１付近における音を集音する。音圧センサ３は、集音した音（音波）を電気信号に変換し、これを音量検出信号として制御部３０に出力する。制御部３０は、音圧センサ３から入力された音量検出信号に基づいて、スピンドルモータ１付近の音の大きさ（以下、「音量」という。）を観測して、音量を低くするように装置各部を制御する。
【００２０】
次に、光ディスク再生時の本体の動作を図２、図３を参照して説明する。
図２、図３は、本実施形態に係る光ディスク装置における、光ディスク再生時の本体の動作制御を行うフローチャートである。
【００２１】
ユーザが、図示していないリモコン等の操作部により再生操作入力を行うと（ｓ１）、制御部３０はモータドライバＩＣ１１を介して、予め設定された高速回転にスピンドルモータ１を駆動しながらＴＯＣ情報を読み取る（ｓ２）。
【００２２】
スピンドルモータ２が回転すると、その回転数および光ディスク１００の偏重心の割合に応じて、振動が発生する。そして、この振動に応じてスピンドルモータ１付近が共振して音が発生する。この音の音量は振動の大きさに応じて変化し、振動が大きくなれば音量も大きくなる。音圧センサ３は、この音を集音して電気信号に変換し、これを音量検知信号として制御部３０に出力する。制御部３０は、入力された音量検知信号に基づいて、スピンドルモータ１付近で発生している音の音量を観測する（ｓ３→ｓ４）。
【００２３】
制御部３０には、光ディスクからのデータの読み込み（再生）が可能な振動の範囲の上限に応じた音量が閾値として予め記憶されており、制御部３０は、観測した音量がこの閾値以上かどうかを判断する。ここで、音量が閾値以上でない場合には、制御部３０は、レーザドライバＩＣ１２を介して光ピックアップ２の動作を制御し、光ピックアップ２は、光ディスク１００にレーザ光を照射して、その反射光を受光することで、光ディスク１００に記録されているデータを読み出す（ｓ５→ｓ９）。
【００２４】
一方、音量が閾値以上となった場合、光ディスクの装着位置がズレているか、装着されている光ディスク１００が偏重心であり、初期設定の高速再生では、振動が大きく、読取エラーが発生する可能性が大きくなること、および音量の大きい騒音が発生することを示す指示画像を表示する（ｓ５→ｓ６）。ユーザはこの画像を見ることにより、光ディスクの装着位置がズレているか、装着されている光ディスク１００が偏重心を有することを認識する。これと同時に、制御部３０は、スピンドルモータ１の回転数を所定量ずつ低くし、回転が安定したことを確認して、繰り返し、音量観測を行う（ｓ７→ｓ８→ｓ３→ｓ４）。そして、音量が前記閾値よりも小さくなれば、制御部３０は再生制御を行い、光ディスク１００に記憶されているデータを読み出す（ｓ５→ｓ９）。
【００２５】
そして、再生を開始しても、常時、音圧センサ３はスピンドルモータ１付近の音を集音して音量検知信号を制御部３０に出力する。制御部３０は、入力された音量検知信号に基づいて音量を観測する（ｓ１１→ｓ１２）。
【００２６】
ここで、この観測音量が閾値よりも小さければ、再生停止の入力が行われるまで、常時音量観測しながら、再生を継続する（ｓ１３→ｓ１８→ｓ１１）。逆に、再生停止の入力が行われれば、レーザドライバＩＣ１２は光ピックアップ２からのレーザ光の出力を停止し、モータドライバＩＣ１１はスピンドルモータ１の回転を停止する（ｓ１８→ｓ１９）。
【００２７】
一方、観測音量が閾値以上であれば、振動が大きく、読取エラーが発生する可能性が大きくなること、および音量の大きい騒音が発生することを示す指示画像を表示する。さらに、現在再生中のセクタ迄を現状の回転数で再生した後に、スピンドルモータ１の回転数を所定量低下させる（ｓ１５→ｓ１６）。そして、スピンドルモータ１の回転数を安定させた後、音量観測を行いながら再生を継続する（ｓ１７→ｓ１１→ｓ１２）。
【００２８】
このような構成とすることで、スピンドルモータ１における光ディスクの保持位置のズレや偏重心の光ディスクであっても、光ディスクの面振の振動による読み込みエラーを抑制するとともに、振動による騒音の発生を防止することができる。
【００２９】
また、再生する光ディスクが偏重心であり、このまま使用を継続する場合に、高速再生に不適であることをユーザに認識させ、この光ディスクに書き込まれているデータを、他の光ディスクに書き写した方がよいことを認識させることができる。
【００３０】
次に、光ディスク記録時の本体の動作を図４、図５を参照して説明する。
図４，図５は、本実施形態に係る光ディスク装置における、光ディスク記録時の本体の動作制御を行うフローチャートである。
【００３１】
ユーザが、図示していないリモコン等の操作部により記録操作入力を行うと（ｓ２１）、制御部３０はモータドライバＩＣ１１およびレーザドライバＩＣ１２を介して、予め設定された高速回転でスピンドルモータ１を駆動するとともに、光ピックアップ２を駆動して、光ディスク１００のＴＯＣ情報を読み取る（ｓ２２）。
【００３２】
音圧センサ３は、スピンドルモータ１付近の振動による音を集音して電気信号に変換し、これを音量検知信号として制御部３０に出力する。制御部３０は、入力した温度検知信号に基づいて、スピンドルモータ１付近の音の音量を観測する（ｓ２３→ｓ２４）。
【００３３】
制御部３０には、光ディスクへのデータの書き込み（記録）が可能な振動の範囲の上限に応じた音量が閾値として記憶されており、制御部３０は、観測した音量がこの閾値以上かどうかを判断する。ここで、音量が閾値以上でない場合には、制御部３０は、スピンドルモータ１の回転数を高速状態のまま維持して、レーザドライバＩＣ１２を介して光ピックアップ２の動作を制御する。光ピックアップ２は、ＯＰＣで決定したレーザ光出力で光ディスク１００にレーザ光を照射して、光ディスク１００にデータを記録する（ｓ２５→ｓ３０）。
【００３４】
一方、音量が閾値以上の場合、光ディスクの装着位置がズレているか、装着されている光ディスク１００が偏重心であり、初期設定の高速記録では、振動が大きく、書込エラーが発生する可能性が大きくなること、および音量の大きい騒音が発生することを示す指示画像、および、装着中の光ディスクを用いて記録を開始するか、光ディスクを交換するかを選択させる指示画像を表示する（ｓ２５→ｓ２６）。ユーザはこの指示画像を見ることにより、光ディスクの装着位置がズレていることや、装着されている光ディスク１００が偏重心であることを認識するとともに、現在装着されている光ディスクをそのまま用いて記録を開始するか、光ディスクを交換して記録を開始するかを選択し、操作手段を介して入力する（ｓ２７）。光ディスクを交換せずに使用する選択が行われると、制御部３０は、スピンドルモータ１の回転数を低くし、回転が安定したことを確認してから、ＯＰＣで決定されたレーザ光出力で記録を開始する（ｓ２８→ｓ２９）。一方、光ディスクを交換する場合には、新たな光ディスクが装着されると、再度ＴＯＣを読み取りながら、スピンドルモータ１付近の音量を観測する（ｓ３１→ｓ２２→ｓ２３→ｓ２４）。そして、音量が前記閾値よりも小さければ、制御部３０は上述した高速状態で、光ディスク１００にデータを記録する（ｓ２５→ｓ３０）。
【００３５】
そして、記録を開始しても、常時、音圧センサ３はスピンドルモータ１付近の音を集音して音量検知信号を制御部３０に出力する。制御部３０は、入力された音量検知信号に基づいて音量を観測する（ｓ４１→ｓ４２）。
【００３６】
ここで、この観測音量が閾値よりも小さければ、記録停止の入力が行われるまで、常時音量観測しながら、記録を継続する（ｓ４３→ｓ４８→ｓ４１）。逆に、記録停止の入力が行われると、レーザドライバＩＣ１２は光ピックアップ３からのレーザ光の出力を停止し、モータドライバＩＣ１１はスピンドルモータ１の回転を停止する（ｓ４８→ｓ４９）。
【００３７】
一方、観測音量が閾値以上であれば、光ディスクの装着位置がズレいているか、装着中の光ディスクが偏重心を有するため現状の速度での記録では書込エラーが発生する可能性があることを示す指示画像を表示する。さらに、現在記録中のセクタまでを現状の回転数およびレーザ光出力で記録した後に、スピンドルモータ１の回転数を低下させて安定化させるとともに、低下後のスピンドルモータの回転数に応じた出力量にレーザ光出力を低減させる（ｓ４５→ｓ４６→ｓ４７）。そして、音量観測を行いながら記録を行う（ｓ４７→ｓ４１→ｓ４２）。なお、上記の記録動作の説明では、スピンドルモータの回転数とレーザ光の出力量との関係を予め記憶しておき、スピンドルモータの回転数の低下に応じてレーザー光出力を低下させたが、スピンドルモータの回転数が低下して時点で、光ディスクの所定のエリアを用いてＯＰＣを行って、レーザ光出力を調整してもよい。
【００３８】
このような構成とすることで、光ディスクの装着位置がズレていたり、偏重心の光ディスクであっても振動による書き込みエラーを防止するとともに、騒音を防止することができる。
【００３９】
また、装着しようとした光ディスクが偏重心であり、書き込みに不適であることをユーザに容易に認識させることができる。
【００４０】
また、ＴＯＣ読み取り時（初期状態読み取り時）に偏重心を検出することで、記録開始前に、代用ディスクがあれば、装着中の光ディスクと交換することができるので、記録中に書き込みエラーが発生して、再度最初から記録を行わなければならない状態を未然に防止することができる。
【００４１】
なお、本実施形態に示した閾値は、再生時と記録時とで同じにしても、異ならせてもよく、光ディスク装置の特性に応じて任意に設定することができる。
【００４２】
【発明の効果】
この発明の光ディスク装置によれば、光ディスクの装着位置がズレていたり、偏重心の光ディスクであっても、回転時に音圧センサで集音した音量に基づいてスピンドルモータの回転数を低下させることで、振動を抑制することができる。これにより、振動による読み込みエラーおよび書き込みエラーを抑制することができるとともに、騒音を抑制し、ユーザに不快感を与えることなく、光ディスクの再生および記録を行うことができる。
【００４３】
また、この発明の光ディスク装置によれば、振動による音量が予め設定した閾値以上になると、その状態での回転数で再生または記録を行うことに、装着中の光ディスクが最適でないことを表示し、光ディスクがズレているか、現在装着している光ディスクが偏重心であり、このまま再生または記録に用いない方がよいことをユーザに容易に認識させることができる。
【００４４】
また、この発明の光ディスク装置によれば、初期条件読み取り時点で光ディスクの偏重心を検出することで、装着した光ディスクが偏重心である場合に、この光ディスクが初期設定の回転数での記録には向いていない、すなわち、振動が大きいために正確にデータの書き込みができないことを、ユーザが記録開始前に容易に確認することができる。
【００４５】
また、この発明の光ディスク装置によれば、記録時であって、光ディスクの装着位置がズレていたり、装着した光ディスクが偏重心であった場合に、光ディスクを交換するか、そのまま記録を行うことをユーザに選択させることができるので、記録を開始した後に、書き込みエラーが発生し、装着中の光ディスクが記録に不適であることを知るのではなく、書き込みを始める前段階で、記録に適する光ディスクを用いることができ、記録時のエラーの発生を未然に防止することができる。
【００４６】
また、この発明の光ディスク装置によれば、ユーザから偏重心の光ディスクでそのまま記録を行う操作が入力されても、振動による音量を観測しながら、この音量が予め設定した閾値より小さくなる回転数にスピンドルモータを制御してデータの書き込みを行うことができる。これにより、データを記録する光ディスクに代用品がなくても、確実にデータを記録することができるとともに、騒音を防止して、ユーザに不快感を与えない。
【図面の簡単な説明】
【図１】本発明の実施形態に係る光ディスク装置の主要部を示す概略構成図
【図２】光ディスク再生時の本体の動作を示すフロー図
【図３】光ディスク再生時の本体の動作を示すフロー図
【図４】光ディスク記録時の本体の動作を示すフロー図
【図５】光ディスク記録時の本体の動作を示すフロー図
【符号の説明】
１−スピンドルモータ
２−光ピックアップ
３−音圧センサ
４−ガイド
１０−シャーシ
１１−モータドライバＩＣ
１２−レーザドライバＩＣ
３０−制御部
１００−光ディスク
【図１】
2004342146.tif 000003
【図２】
2004342146.tif 000004
【図３】
2004342146.tif 000005
【図４】
2004342146.tif 000006
【図５】
2004342146.tif 000007